(57)【要約】【課題】商品の盗難等の悪戯を防止するとともに、商品取出口を小型化し、本体を小型にすることができる自動販売機を提供する。【解決手段】本体２内に設けられた商品コラム８と、本体２内に設けられ、外部と連通する開口部１２を備えた商品取出口１３と、商品取出口１３に配置され、商品コラム８から払い出される商品を受容する商品受容器１５と、を備えた自動販売機１において、商品受容器１５は、商品コラム８の払出口８ａに隣接して設けられた、その内面が商品を受容可能な形状に形成されるとともに、その内面と対向する側に軸心が設けられた支軸２０を中心に回動可能に設けられ、支軸２０を中心に回動することにより開口部１２を開閉し、商品受容器１５が開口部１２を開放する位置に回動するとき、商品コラム８の払出口８ａを閉塞する。【選択図】      図２
2011186611.tif 000002
【特許請求の範囲】
【請求項１】
本体内に設けられた商品コラムと、前記本体に設けられ、外部と連通する開口部を備えた商品取出口と、前記商品取出口に配置され、前記商品コラムから払い出される商品を前記開口部から取出し可能に受容する商品受容器と、を備えた自動販売機において、前記商品受容器は、前記商品コラムの払出口に隣接して設けられて、その内面が商品を受容可能な形状に形成されるとともに、前記内面と対向する側に軸心が設けられた支軸を中心に回動可能に設けられ、前記支軸を中心に回動することにより前記開口部を開閉し、前記商品受容器が前記開口部を開放する位置に回動するとき、前記商品コラムの払出口を閉塞することを特徴とする自動販売機。
【請求項２】
前記商品受容器は、前記商品コラムの払出口に隣接して設けられた後端部と、前記後端部から前方に向かって下方に傾斜し前記商品コラムから払い出された商品を前方に案内する底面部と、前記底面部に続いて上方に向けて延設された前面部と、を有してその内面が商品を受容可能な凹状に形成されるとともに、前記凹状内面と対向する側に軸心が設けられた支軸を中心に回動可能に設けられ、前記支軸を中心に回動することにより、前記前面部が前記開口部を開閉するように移動し、前記商品受容器が回動されて前記前面部が前記開口部を開放するように移動するとき、前記後端部が前記商品コラムの払出口を閉塞する位置に移動することを特徴とする請求項１に記載の自動販売機。
【請求項３】
前記商品受容器が回動され前記前面部が前記開口部を開放する方向に移動するとき、前記後端部が前記商品コラムの払出口の直前を下方から上方に向けて突出するように移動することを特徴とする請求項２に記載の自動販売機。
【発明の詳細な説明】
【技術分野】
【０００１】
本発明は、本体内の商品収納部から商品取出口に搬出された商品を、商品取出口の扉部を開放して取り出す自動販売機に関し、特にその扉部の開放と連動し収納商品の盗難等を防止する悪戯防止機構を備えた自動販売機に関する。
【背景技術】
【０００２】
従来、商品収納部から搬出される商品の商品通過口（搬出口）を閉鎖する遮蔽部材を設けることにより商品の盗難行為を防止した自動販売機として、先に公開された特開２００６−４２８６号公報(特許文献１)に記載されるような自動販売機が知られている。この特許文献1に記載される自動販売機は、複数の商品を収納する筐体と、筐体内の商品を搬送する商品搬送手段と、商品搬送手段により搬送された商品を収容する商品取出口と、商品取出口内に収容された商品を筐体の外に取り出す開口部と、を有する自動販売機であって、商品取出口は、商品搬送手段により搬送される商品を通過させるとともに、その商品を商品取出口に収納する商品通過口を備え、商品取出口は、開口部を開閉する取出口蓋と、取出口蓋の開閉動作と連動するとともに、商品通過口を開閉する進入防止蓋とを備え、取出口蓋が開口部を開放した際に進入防止蓋は商品通過口を閉鎖するとともに、取出口蓋が開口部を閉鎖した際に侵入防止蓋は商品通過口を開放するものである。
【０００３】
これによれば、不正な目的で開口部より筐体内部に挿入される異物が、商品通過口を介して筐体内部の商品と接触することを防止し、商品の盗難を防止するとともに、商品が商品通過口を開閉する侵入防止蓋で詰まることなく確実に排出される自動販売機を提供することができるとされる。
【先行技術文献】
【特許文献】
【０００４】
【特許文献１】特開２００６−４２８６号公報
【発明の概要】
【発明が解決しようとする課題】
【０００５】
ところで、このような従来の自動販売機において、商品取出口内に収容された商品を取り出す場合は、取出口蓋を奥側に押し込んで開き、内部に収容された商品を取り出すから、商品取出口は、その内部に取出口蓋及び侵入防止蓋が作動する作動空間と、その作動空間に隣接して（例えば、側方または下方に）商品を収容する収容空間をそれぞれ有する必要がある。そのため、商品取出口が大きく形成され、その結果として、それを備える自動販売機本体が大型化する問題があった。
【０００６】
本発明は、このような問題に対応するため、商品の盗難等の悪戯を防止することができるとともに、商品取出口を小型化し、それを備える本体を小型にすることができる自動販売機を提供することを目的とするものである。
【課題を解決するための手段】
【０００７】
上記課題を解決するため、請求項１に係る発明は、本体内に設けられた商品コラムと、前記本体内に設けられ、外部と連通する開口部を備えた商品取出口と、前記商品取出口に配置され、前記商品コラムから払い出される商品を前記開口部から取出し可能に受容する商品受容器と、を備えた自動販売機において、前記商品受容器は、前記商品コラムの払出口に隣接して設けられて、その内面が商品を受容可能な形状に形成されるとともに、前記内面と対向する側に軸心が設けられた支軸を中心に回動可能に設けられ、前記支軸を中心に回動することにより前記開口部を開閉し、前記商品受容器が前記開口部を開放する位置に回動するとき、前記商品コラムの払出口を閉塞するものである。
【０００８】
これによれば、前記開口部を開放して前記商品受容器に払い出された商品を本体外に取り出すとき、前記開口部から前記商品コラムへ手や棒等を挿入することができないようにすることができる。また、前記商品受容器は、前記内部に商品を受容した状態で前記支軸を中心に回動されることにより、前記開口部を開放し、その内部に受容された商品を本体外に取り出し可能に構成されるから、前記商品受容器の回動空間と、商品の受容空間を別々に備える必要がない。すなわち、それを備える商品取出口を小型化することができる。
【０００９】
また、請求項２に係る発明は、請求項１に記載の自動販売機において、前記商品受容器は、前記商品コラムの払出口に隣接して設けられた後端部と、前記後端部から前方に向かって下方に傾斜し前記商品コラムから払い出された商品を前方に案内する底面部と、前記底面部に続いて上方に向けて延設された前面部と、を有してその内面が商品を受容可能な凹状に形成されるとともに、前記凹状内面と対向する側に軸心が設けられた支軸を中心に回動可能に設けられ、前記支軸を中心に回動することにより、前記前面部が前記開口部を開閉し、前記商品受容器が回動されて前記前面部が前記開口部を開放するように移動するとき、前記後端部が前記商品コラムの払出口を閉塞する位置に移動するものである。
【００１０】
これによれば、請求項１に係る発明と同様に、前記開口部を開放して商品を本体外に取り出すとき、前記商品コラムへ手や棒等を挿入することができないようにすることができる。また、前記商品受容器は、前記凹状に形成された内部に商品を受容した状態で前記支軸を中心に回動されることにより、前記前面部が前記開口部を開放するように移動され、その内部に受容された商品を前記底面部および前記前面部に沿って本体外に取り出し可能に構成されるから、前記商品受容器の回動空間と、商品の受容空間を別々に備える必要がなく、それを備える商品取出口を小型化することができる。
【００１１】
また、請求項３に係る発明は、請求項２に記載の自動販売機において、前記商品受容器が回動され前記前面部が前記開口部を開放する方向に移動するとき、前記後端部が前記商品コラムの払出口の直前を下方から上方に向けて突出するように移動するものである。
【００１２】
これによれば、前記商品コラムの払出口において商品が詰まりを生じた場合、前記開口部を開放するように前記商品受容器を回動することにより、前記後端部によりその詰まった商品を上方に突き上げて、前記商品受容器内部に取り込むことができる。
【発明の効果】
【００１３】
以上説明したように請求項１及び請求項２に係る発明によれば、開口部を開放して商品受容器に払い出された商品を本体外に取り出すとき、開口部から商品コラムへ手や棒等を挿入することができないようにすることができるから、商品コラムに収納された商品の盗難等の悪戯を防止することができる自動販売機を提供することができる。また、商品受容器は、内部に商品を受容した状態で支軸を中心に回動され、その商品を本体外に取り出し可能に構成されるから、商品受容器の回動空間と、商品の受容空間を別々に備える必要がなく、それを備える商品取出口を小型化することができるから、それを備える本体を小型にすることができる自動販売機を提供することができる。
【００１４】
また、請求項２に係る発明によれば、商品コラムの払出口において商品詰まりが生じた場合、開口部を開放するように商品受容器を回動することで、その後端部によりその詰まった商品を上方に突き上げて、商品受容器内部に取り込むことができるから、商品詰りを少なくすることができる信頼性の高い自動販売機を提供することができる。
【図面の簡単な説明】
【００１５】
【図１】本発明の実施の形態に係る自動販売機を示す外観斜視図である。
【図２】本発明の実施の形態に係る自動販売機の内部構造を示す側断面図である。
【図３】本発明の実施の形態に係る自動販売機において前面の開放扉を開いた状態を示す斜視図である。
【図４】本発明の実施の形態に係る自動販売機の商品取出口に配置される商品バケット部の構造を示す斜視図である。
【図５】本発明の実施の形態に係る自動販売機の商品バット部の回動状態を示す図であって、（ａ）は、商品バケット部の前壁部により本体前面の開口部を閉塞した待機状態、（ｂ）はその前壁部の把手部を下方に押し下げて商品バケット部を回動し、開口部を開口するとともに、その後端部を商品収納コラムの払出口直前で下方から上方に向けて突出させた状態、（ｃ）は、前壁部をさらに下方に押し下げて商品バケット部を回動し、開口部を全開するとともに、その後端部を商品収納コラムの払出口を閉塞する位置に移動した商品取出状態を、それぞれ示す側断面図である。
【発明を実施するための形態】
【００１６】
以下、本発明の実施の形態の自動販売機について、図面を参照して説明する。
図１は本発明の実施の形態に係る自動販売機を示す外観斜視図、図２は本発明の実施の形態に係る自動販売機の内部構造を示す側断面図、図３は本発明の実施の形態に係る自動販売機において前面の開放扉を開いた状態を示す斜視図である。
【００１７】
図１乃至図３に示すようにこの自動販売機１は、前面に開放扉３を備えた本体２と、本体２を載置する載置台４を備えている。そして、本体２内部には、周囲を囲繞された収納庫６が設けられ、その収納庫６内には商品を前後一列に並べて収納する商品収納コラム（商品コラム）８を上下段、左右列に並べて構成した商品収納部７が設けられている。商品収納コラム８は、販売指令に基づいて駆動されるスパイラル駆動部１０により回転駆動されて商品を前方に送り出すように構成されたスパイラル部材９等から構成されている。また、本体２の前側下部には、商品収納コラム８から払い出された商品を本体２外に取り出すための開口部１２を備えた商品取出口１３が設けられている。また、商品取出口１３には、各商品収納コラム８から払い出された商品を受け入れて、回動することによりその商品を前述の開口部１２から取出し可能に収容する商品バケット部（商品受容器）１５が設けられている。
【００１８】
本体２前面の開放扉３は、本体２前面に設けられた開放部２ａを開閉自在に閉塞し、商品収納部７の商品収納コラム８に商品を収納する場合等に開放される。また、開放扉３は、商品収納コラム８に収納した商品、及び商品の販売時に顧客の購入した商品が商品収納コラム８から払い出されて商品バケット部１５に受容される販売動作が、外部から目視、観察できるように、その略全体が透明部材により構成されている。また開放扉３の下部には、開放扉３を閉めた状態で本体２に施錠する鍵部５が設けられている。また、開放扉３の側方の本体２側部には、販売商品を選択する複数の商品選択ボタン２１と、図示しない硬貨処理装置の硬貨投入口２２と、釣銭硬貨等を返却する硬貨返却ボタン２３とが配設されている。
【００１９】
図４は、本発明の実施の形態に係る自動販売機１の商品取出口１３に配置される商品バケット部１５の構造を示す斜視図である。図に示すように、この商品バケット部１５は、商品収納コラム８の払出口８ａの下部前方に隣接するように配置される後端部１６と、後端部１６から前方に向かって下方に傾斜し商品収納コラム８から払い出された商品を前方に搬送する底面部１７と、底面部１７に続いて上方に円弧状に延びて形成された前壁部（前面部）１８を有し、その内面が商品を受容可能な凹状に形成されている。また、この商品バケット部１５の横幅は、商品収納部７の幅（すなわち、この実施の形態では左右方向複数列の商品収納コラム８に対応する幅）を有している。そして、内面が凹状に形成された商品バケット部１５の両側には、側壁部１９が設けられ、この側壁部１９の外側には、この商品バケット部１５を回動自在に支持する支軸２０が設けられている。この支軸２０の軸心は凹状に形成された商品バケット部１５の内面と対向する側に幅方向に沿って水平に設けられている。
【００２０】
ここで、商品バケット部１５の前面を構成する前壁部１８の外面は、本体２の前面下部に設けられる開口部１２に沿って略円弧状に形成され、その開口部１２を閉塞するように構成されている。そして、商品バケット部１５が支軸２０を中心に所定方向（前壁部１８が下方に押し下げられるよう）に回動されるとき、その前壁部１８は、その開口部１２を開放するように移動する。なお、前壁部１８の上端には、商品バケット部１５を回動操作するための把手部１８ａが前方に突出して設けられている。
【００２１】
次に本発明の実施形態に係る自動販売機１の商品販売動作について説明する。先ず、利用者が硬貨投入口２２に硬貨を投入して自動販売機１の商品選択ボタン２１を押して商品を選択すると、図示しない制御手段により商品収納コラム８のスパイラル部材９がスパイラル駆動部１０により回転駆動され、商品収納コラム８に収納されている商品が、その前方に配置される商品バケット部１５に向けて払い出される。商品収納コラム８から払い出された商品は、商品バケット部１５の後端部１６を経て前方に向けて下り勾配に形成される底面部１７上に落下し、その斜面に沿って前方に搬送される。そして、底面部１７と前壁部１８の接合部である内面凹状部の最深部に受容される。ここで、商品収納コラム８から払い出された商品が商品バケット部１５に受容されたことが本体２前面に透視可能に設けられた開放扉３を介して確認されると、利用者が商品バケット部１５の前壁部１８上端に突出して設けられた把手部１８ａを下方に押し下げて商品バケット部１５を支軸２０の回りに回動し、本体２前面下部の開口部１２を開放して、商品バケット部１５内に受容された商品を開口部１２から取り出す。このようにして、自動販売機１から商品が販売される。
【００２２】
図５は、本発明の実施の形態に係る自動販売機１の商品バット部１５の動作を示す図であって、（ａ）は、商品バケット部１５の前壁部１８により本体２前面の開口部１２を閉塞した待機状態、（ｂ）はその前壁部１８の把手部１８ａを下方に押し下げて商品バケット部１５を回動し、開口部１２を開口するとともに、その後端部１６を商品収納コラム８の払出口８ａ直前で下方から上方に向けて突出させた状態、（ｃ）は、前壁部１８をさらに下方に押し下げて商品バケット部１５を回動し、開口部１２を全開するとともに、その後端部１６とそれに続く底面部１７を商品収納コラム８の払出口８ａを閉塞する位置に移動した商品取出状態を、それぞれ示す側断面図である。ここで、利用者が販売商品を取り出すために商品バケット部１５を回動する場合は、商品バケット部１５が図５（ａ）に示す待機状態から、先ず図５（ｂ）に示される状態に回動される。この場合に、商品収納コラム８の払出口８ａにおいて、商品詰りが生じていれば、商品バケット部１５の後端部１６によりその詰まった商品が上方に突き上げられて、商品バケット部１５内部に取り込まれる。そして、さらに商品バケット部１５が回動され図５（ｃ）に示される商品取出状態に回動されると、凹状に形成された内部に受容された商品が前壁部１８の内壁に沿って商品バケット部１５の前端に送出され、開口部１２から取り出される。このとき、商品バケット部１５の後端部１６は、商品収納コラム８の払出口８ａを閉塞する位置に移動するから、本体２前面の開口部１２から商品収納コラム８内に手や棒等を挿入することができないようにすることができる。
【００２３】
以上のように、本発明に係る自動販売機１によれば、本体２前面の開口部１２を開放して商品バケット部１５に払い出された商品を本体２外に取り出すとき、商品バケット部１５の後端部１６が商品収納コラム８の払出口８ａを閉塞する位置に移動するから、開口部１２から商品収納コラム８へ手や棒等を挿入することができないようにすることができる。したがって、商品収納コラム８に収納された商品の盗難等の悪戯を防止することができる自動販売機を提供することができる。また、商品収納コラム８から払い出された商品を受容する商品バケット部１５は、その内部に商品を受容した状態で支軸２０を中心に回動され、その商品を本体２外に取り出し可能に構成されるから、商品バケット部１５の回動空間と、商品の受容空間を別々に備える必要がなく、それが配備される商品取出口１３を小型化することができる。すなわち、それを備える本体２を小型にすることができる自動販売機を提供することができる。
【００２４】
また、商品収納コラム８の払出口８ａにおいて商品詰まりが生じた場合、商品バケット部１５の後端部１６によりその詰まった商品を上方に突き上げて、商品バケット部１５内に取り込んで開口部１２から送出することができるから、商品詰りを少なくすることができる信頼性の高い自動販売機を提供することができる。
【００２５】
なお、本発明は、言うまでもなく本実施の形態に示す自動販売機１にのみ限定されず、その趣旨の包含する範囲で応用変更が可能である。例えば、商品バケット部１５内に払い出される商品を検知する商品検知センサを備え、それによって商品バケット部１５内に商品がない場合は商品バケット部１５が回動できないようにロックするロック手段を設け、悪戯を防止するようにしても良い。また、本体２前面の開口部１２が常時は閉塞されるように、商品バケット部１５を、開口部１２が閉塞される位置に回動付勢する付勢手段を設けても良い。また、商品取出口１３や、それを構成する開口部１２、および商品バケット部１５等の形状や配置構成等は、本発明を実施する自動販売機の態様、構成に応じて適宜に変更されるものである。
【符号の説明】
【００２６】
２  本体
３  開放扉
７  商品収納部
８  商品収納コラム（商品コラム）
８ａ  払出口
１２  開口部
１３  商品取出口
１５  商品バケット部（商品受容器）
１６  後端部
１７  底面部
１８  前壁部（前面部）
２０  支軸
【図１】
2011186611.tif 000003
【図２】
2011186611.tif 000004
【図３】
2011186611.tif 000005
【図４】
2011186611.tif 000006
【図５】
2011186611.tif 000007